(57)【要約】【課題】  複数国の放送時間割を同時に表示する際、各国の番組が放送される時刻をユーザに分かり易く表示して、利便性を高めること。【解決手段】  放送受信装置は複数国の放送を受信可能であり、放送番組情報や、放送局の所在国と放送受信装置が設置された国との時差情報を取得する。ＥＰＧ（電子番組表）画面生成部１０８はこれらの情報に基づいて、放送局の所在国における標準時刻を得て、国名と時刻情報、放送番組の時間割を同時に画面表示すべく画像データを生成する。時刻情報に従って放送番組の時間割が現地時刻で国毎に並べて画面表示される。【選択図】  図３
2011082748.tif 000002
【特許請求の範囲】
【請求項１】
複数国の放送を受信可能な放送受信装置であって、
前記放送受信装置が設置された第１の国の時刻情報及び第１の国の放送局に係る放送番組情報、並びに放送局が存在する第２の国の時刻情報及び第２の国の放送局に係る放送番組情報を含む表示画面の画像データを生成する生成手段を備えたことを特徴とする放送受信装置。
【請求項２】
前記時刻情報、前記放送番組情報、前記第１及び第２の国の国名情報を受信する受信手段と、
前記第１の国と前記第２の国との時差情報を記憶する記憶手段と、
取得した前記放送番組情報、及び前記記憶手段に記憶された時差情報を用いて放送局の所在国における放送時刻の情報を得て、放送局の所在国の国名及び放送番組の時刻情報を含む表示画面の画像データを生成するように前記生成手段を制御する制御手段をさらに備えたことを特徴とする、請求項１記載の放送受信装置。
【請求項３】
前記生成手段は、前記時刻情報に従って放送番組の時間割を現地時刻で国別に並べて表示すべく画像データを生成することを特徴とする、請求項２記載の放送受信装置。
【請求項４】
前記生成手段は、前記時差情報に基づいて、前記第１の国の時刻情報を基準として該時刻情報とともに、該時刻情報に対応する前記第２の国での時刻情報及び国名を表示すべく画像データを生成することを特徴とする、請求項２記載の放送受信装置。
【請求項５】
前記生成手段は、前記第１の国における放送番組の放送時刻に合わせて、該放送時刻と同一の現地時刻にて前記第２の国で放送される放送番組の時間割を表示すべく画像データを生成することを特徴とする、請求項２記載の放送受信装置。
【請求項６】
前記制御手段は、操作指示に従って、前記第１及び第２の国の国名、放送局の名称、放送時刻、放送番組の名称を含む番組表の画面表示形式を切換えるように制御することを特徴とする、請求項３から５のいずれか１項記載の放送受信装置。
【請求項７】
複数国の放送を受信可能な放送受信装置における番組表の表示方法であって、
前記放送受信装置が設置された第１の国の時刻情報及び第１の国の放送局による放送番組情報、並びに放送局が存在する第２の国の時刻情報及び第２の国の放送局による放送番組情報を取得するステップと、
前記時刻情報及び放送番組情報を含む表示画面の画像データを生成して番組表を表示させるステップと、を有することを特徴とする番組表の表示方法。
【発明の詳細な説明】
【技術分野】
【０００１】
本発明は、複数国の放送を受信可能な放送受信装置及び番組表の表示方法に関するものである。
【背景技術】
【０００２】
衛星放送については、自国向けの放送に限らず、海外衛星放送の受信が可能である。これまでユーザは放送システム毎に専用の放送受信装置を用意する必要があった。近年、世界的にデジタル放送環境が整備され、シリコンチューナやＤＣＡＳ（ダウンローダブル・コンディショナル・アクセス・システム）が登場し、放送受信フロントエンドの部品共通化が進みつつある。ハードウェア構成が共通化され、各衛星サービスに対応したファームウェアを搭載した、複数国の海外放送を受信可能なテレビジョン受像装置、及びＳＴＢ（セットトップボックス）が登場するものと予想される。
【０００３】
複数国の衛星放送を前記装置で同時に受信して視聴する環境において、電子番組表（ＥＰＧ）の時間情報は、放送の送信国の標準時間で表示される。例えば日本で中国の放送を受信した場合には、そのＥＰＧ表示にて中国での時刻（ローカルタイム）が表示されることになる。つまり、装置が設置された国における実際の時刻（日本時間）とは異なる時刻が表示されるので、ユーザは視聴したい番組や録画したい番組を選ぶ際に分かり難い。このため、視聴したい番組の見逃しが起こり、また録画したい番組とは異なる番組が録画されてしまうといった、ユーザの使い勝手に支障を来たす虞がある。
【０００４】
このような問題を解決する技術が、特許文献１に開示されている。サーバ装置は番組情報送信要求をしてきたクライアントの所在地をＩＰアドレスから特定し、予め用意した世界各地の所在地における標準時刻を記録した比較テーブルを用いて、特定した所在地の標準時刻を割り出す。そして、クライアントの所在地における標準時刻とサーバ装置の所在地における標準時刻との時刻差分を換算し、サーバ装置から出力する応答データのうち時刻情報に関する部分を、換算結果に基づく換算値に置き換える技術が開示されている。
【０００５】
また、特許文献２に開示されたビデオ記録装置は、番組の予約情報を記憶する記憶手段を備え、放送信号に重畳された番組ＩＤを利用した予約録画機能を有する。放送局所在地と受信地との時差の情報を記憶する時差テーブルを設け、番組ＩＤを予約情報として記憶する際に、時差テーブルを参照して修正された番組ＩＤを記憶させる技術が開示されている。
【先行技術文献】
【特許文献】
【０００６】
【特許文献１】特開２００８−１６９０６号公報
【特許文献２】特開平１０−０６４１３６号公報
【発明の概要】
【発明が解決しようとする課題】
【０００７】
しかしながら、従来の放送受信装置には、時差のある複数国のＥＰＧ情報を分かり易く表示する手段が講じられていないため、ユーザの利便性に問題がある。例えば、放送の受信国を日本とし、日本の放送と中国の放送を１つの装置で同時に受信できる状況を想定し、図８を用いて説明する。本図は電子番組表の情報を含む表示画面（以下、ＥＰＧ画面という）の一例を示した図である。
【０００８】
放送局名の表示エリア５０１には放送局の名称が表示され、放送局Ａ１，Ａ２，Ａ３が日本の放送局であり、放送局Ａ４，Ａ５が中国の放送局であるとする。時刻表示エリア５００には放送時刻の情報が表示され、番組時間割の表示エリア５０２には、各放送局に対応する放送番組の名称が横列に表示される。時刻表示エリア５００に日本の放送局に合わせた時刻情報を表示させた場合、中国の番組が実際に放送される時刻（例えば、日本時間19:00の時、中国時間18:00）を知るためには、ユーザが自ら、時差（１時間）を考慮しなければならず、不便である。逆に時刻表示エリア５００に中国の放送局に合わせた時刻情報を表示させた場合、日本の番組が実際に放送される時刻（中国時間19:00の時、日本時間20:00）を知るためには、ユーザが自ら、時差を考慮しなければならない。国数が多くなる程、時刻の換算はユーザにとって煩わしいと感じられる。
複数国の放送時間割を同時にＥＰＧ画面に表示する際には、各国の番組の放送時刻をユーザに分かり易く表示することが求められる。そこで本発明は、操作性や利便性を向上させることができる放送受信装置及び番組表の表示方法の提供を目的とする。
【課題を解決するための手段】
【０００９】
前述した課題を解決するために、本発明に係る装置は、複数国の放送を受信可能な放送受信装置であって、前記放送受信装置が設置された第１の国の時刻情報及び第１の国の放送局に係る放送番組情報、並びに放送局が存在する第２の国の時刻情報及び第２の国の放送局に係る放送番組情報を含む表示画面の画像データを生成する生成手段を備える。
【発明の効果】
【００１０】
本発明によれば、複数国の放送番組の時刻情報をユーザに分かり易く提示することができる。
【図面の簡単な説明】
【００１１】
【図１】本発明の一実施形態に係るシステム構成及びリモコンを例示した図である。
【図２】本発明の一実施形態に係る放送受信装置１００の構成図である。
【図３】図２乃至８と併せて、本発明の第１実施形態を説明するために、ＥＰＧ画面例を示した図である。
【図４】番組情報データ取得処理の一例を示すフローチャートである。
【図５】ＥＰＧ画面生成処理例を示すフローチャートである。
【図６】表示国名文字列テーブルの一例を示した図である。
【図７】表示国名文字列の取得処理例を示すフローチャートである。
【図８】通常のＥＰＧ画面例を示した図である。
【図９】図１０乃至１２と併せて本発明の第２実施形態を説明するために、ＥＰＧ画面例を示した図である。
【図１０】時差テーブルの一例を示した図である。
【図１１】時差取得処理例を示すフローチャートである。
【図１２】ＥＰＧ画面生成処理例を示すフローチャートである。
【図１３】図１４及び１５と併せて本発明の第３実施形態を説明するために、ＥＰＧ画面例を示した図である。
【図１４】ＥＰＧ画面生成処理例を示すフローチャートである。
【図１５】ＥＰＧ画面表示方式の切換え処理例を示すフローチャートである。
【発明を実施するための形態】
【００１２】
以下、図面を参照しながら本発明の各実施形態について詳細に説明する。
図１は本発明の一実施形態に係るシステム構成例の概略図である。本例では、放送衛星１０，１１と、衛星放送受信用アンテナ１２，１３と、放送受信装置1００と、リモートコントローラ（以下、リモコンと略称する）２００を示す。放送衛星１０が送信する放送信号を受信するために衛星放送受信用アンテナ１２が設置され、同様に放送衛星１１が送信する放送信号を受信するために衛星放送受信用アンテナ１３が設置されている。放送受信装置１００は衛星放送受信用アンテナ１２及び１３と接続されている。放送受信装置１００は、放送衛星１０及び１１から送信される番組の放送電波を衛星放送受信用アンテナ１２及び１３を通じてそれぞれ受信し、映像及び音声による放送番組を、ユーザである視聴者に提供する。ユーザはリモコン２００を通じて放送受信装置１００を操作する。
【００１３】
図２は、本発明の一実施形態に係る放送受信装置１００の構成例を示す。放送受信装置１００は、チューナ部１０１及び１０３、デコード部１０２及び１０４、音声処理部１０５、スピーカ出力部１０６、画像処理部１０７、ＥＰＧ画面生成部１０８、画像合成部１０９、表示部１１０を備える。さらにはリモコン受信部１１１、制御部１１２、記憶部１１３が設けられている。
チューナ部１０１，１０３は、後述する制御部１１２からの選局指示に応じて、デジタル放送波を受信し、受信信号に復調処理を施す。各チューナ部は更に、復調後のデータから、映像や音声等のデータを多重化したデータ（トランスポートストリームデータ）を再生成し、デコード部１０２，１０４へそれぞれ出力する。
【００１４】
デコード部１０２，１０４は放送番組情報のデータ取得手段を構成し、デコード部１０２がチューナ部１０１の後段に位置し、デコード部１０４がチューナ部１０３の後段に位置する。これらのデコード部１０２（１０４）は、チューナ部１０１（１０３）からのトランスポートストリームデータを、映像データ、音声データ、番組情報データ等に分離し、それぞれのデコード処理を行う。なお、デコード部１０２（１０４）は各国の番組情報を解析することが可能である。デコード処理の結果、映像データは画像処理部１０７へ出力され、音声データは音声処理部１０５へ出力され、番組情報データは後述の記憶部１１３へ格納される。
【００１５】
番組情報データは、具体的にはＭＰＥＧ（Moving Picture Experts Group）トランスポートストリームのＳＩ（Service Information）データを示す。例えばＡＲＩＢ（電波産業会）がARIB STD-B10で規定するＳＩには、NIT、EIT、TOT等が含まれる。NIT（Network Information Table）は、変調周波数等の伝送路の情報と放送番組を関連付ける情報の伝送に使用される。EIT（Event Information Table）は番組の名称、放送日時、内容の説明等、番組に関する情報の指示に使用される。TOT（Time Offset Table）は、現在の日時やサマータイムの情報を含み、現在の日時情報の指示、及び実際の時刻と表示時刻との間の差分時間の指定に使用される。なお表示時刻の情報については対人（man-machine）インターフェース手段を構成する表示部１１０の表示画面上でユーザに画像表示される。
【００１６】
音声処理部１０５は、デコード部１０２，１０４が出力した音声データに対し、音質、臨場感等に係る音声処理、及び音量調整処理を施し、音声データをスピーカ出力部１０６へ出力する。スピーカ出力部１０６は、音声処理部１０５からの音声データをＤ／Ａ変換によりアナログ信号に変換し、さらに増幅等の必要な処理を施した上で、放送受信装置１００に設けられた図示しないスピーカ又は外部スピーカに出力する。
【００１７】
画像処理部１０７は映像データに所定の画像処理、例えばコントラスト調整、色補正、輪郭補正、ノイズ除去、輝度補正、階調補正、エッジ強調、ホワイトバランス補正等の処理を施す。ＥＰＧ画面生成部１０８は、後述の記憶部１１３に格納された番組名、放送日時、番組内容等の番組情報データを利用して、ＥＰＧ画面の画像データを生成する。画像合成部１０９は、画像処理部１０７によって処理された画像データと、ＥＰＧ画面生成部１０８によって生成された画像データを合成し、画像合成後のデータを表示部１１０に送り、合成画像を表示部１１０に表示させる。表示部１１０については、放送受信装置１００に付設した画像表示装置でもよいが、外部の表示装置であってもよい。
【００１８】
リモコン受信部１１１は、リモコン２００から出力される操作信号を受信し、操作指示を表すリモコンコードを受け取る。リモコンコードは制御部１１２へ転送される。
装置全般を制御する制御部１１２はＣＰＵ（中央演算処理装置）等を用いて構成され、リモコン受信部１１１からのリモコンコードに応じた制御を行う。制御部１１２はリモコンコードに基づき、選局や入力切替等の処理を行う。
記憶部１１３は、チャンネル情報やユーザ設定情報等を保存する。本実施形態では、デコード部１０２，１０４で得られる番組情報（EIT）、時間情報（TOT）が保存される。また、放送局が存在する国の国名を示す文字列を記憶した、後述の表示国名文字列のテーブル７００（図６参照）や、放送局所在地と受信地との時差の情報を記憶した、後述の時差テーブル６００（図１０参照）のデータ等が記憶部１１３に保存される。
【００１９】
操作手段であるリモコン２００の操作キーの配置例を、図１に拡大して示す。電源キー２０１の下方に、１乃至１２の数字を付した選局キー２０２が配置され、さらにその下方には、チャンネル選択用のアップ・ダウンキー２０３と、音量調整用のアップ・ダウンキー２０４が配置される。またＥＰＧ（番組表）キー２０５、ＥＰＧ表示形式の切換えキー２０６が設けられ、番組表サービスの起動、複数の表示形式でのＥＰＧ表示が可能である。ＥＰＧ画面の表示中、ユーザは方向キー２０７乃至２１０によって、画面に表示されたカーソルの移動操作を行い、決定キー２１１でサービス内容を選択できる。リモコンキーの操作情報は赤外線信号としてリモコン２００からリモコン受信部１１１に送信され、ユーザ操作の指示内容が制御部１１２に伝えられる。
なお、制御部１１２や記憶部１１３、ＥＰＧ画面生成部１０８等の各部は共通バスを介して必要な情報を互いに送受することができる。
【００２０】
[第１実施形態]
図３は、本発明の第１実施形態に係るＥＰＧ画面を例示した図である。本例の表示画面に示す放送局所在国名の表示エリア３００には、番組を放送している放送局が存在する国（放送局所在国）の国名が表示される。放送局名の表示エリア３０１は、番組を放送している放送局の名称を表示するエリアであり、放送局名は放送局所在国名の表示エリア３００に表示される国毎に分けて表示される。
【００２１】
放送局所在国の時刻表示エリア３０２には、放送局所在国の時刻情報が表示される。本例では、Ａ国の時刻情報として、０：００，１：００，２：００が表示され、Ｂ国の時刻情報として６：００，７：００，８：００が表示される。つまり、いずれもローカルタイムで表示され、両国の時差は６時間である。例えば、放送受信装置１００が設置された第１の国がＡ国であり、放送受信装置１００は、別の放送局が存在する第２の国、つまりＢ国の放送局による放送番組を受信可能である。
【００２２】
番組時間割の表示エリア３０３には、放送局所在国の時刻表示エリア３０２に表示されている時刻において、放送局名の表示エリア３０１に表示されている放送局の番組時間割の情報が表示される。本例では、Ａ国の放送局Ａ１，Ａ２の番組名がそれぞれ横列に表示され、Ｂ国の放送局Ｂ１，Ｂ２の番組名がそれぞれ横列に表示される。
以上のように、放送局所在国の放送番組の時刻、放送番組の名称、及び国名が、国別に並べて表示され、国毎の時刻情報がそれぞれに表示される。これにより、ユーザは各国の放送番組の時間割を容易に把握できる。
【００２３】
図４は、番組情報データの取得処理例を示すフローチャートである。なお、本処理は、後述の第２実施形態及び第３実施形態でも同様である。
ユーザが第１の放送波（図２の放送波１参照）に係る放送番組を視聴している際に、リモコン２００のＥＰＧ（番組表）キー２０５が操作されると、リモコン受信部１１１は、受信したリモコンコードを制御部１１２へ送る。制御部１１２は、リモコンコードを解析して、操作指示がＥＰＧ画面の表示指示であることを知る（Ｓ１０１）。
制御部１１２は、デコード部１０２から、前述のNITに含まれるネットワーク記述子を取得する（Ｓ１０２）。次に制御部１１２は、TOTに含まれるcountry_code（国際標準化機構（ＩＳＯ）３１６６で規定されている国名コード）、時刻情報を取得し（Ｓ１０３）、EITに含まれる番組情報を取得する（Ｓ１０４）。取得した前記情報は記憶部１１３に保存される。
【００２４】
次に制御対象を第２の放送波（図２の放送波２参照）に切換える処理が制御部１１２の制御下で行われる（Ｓ１０５）。そしてデコード部１０４からネットワーク記述子が取得される（Ｓ１０６）。前記Ｓ１０２で得た第１の放送波に係るネットワーク記述子と、Ｓ１０６で得た第２の放送波２に係るネットワーク記述子が比較され（Ｓ１０７）、両者が同じであった場合、処理が終了する。また両者が異なっていた場合、Ｓ１０３に戻って、Ｓ１０３乃至１０６の処理が実行される。つまりＳ１０７にてチューナ部１０１とチューナ部１０３が異なる放送システムの放送を受信していると判定された場合、制御部１１２は、デコード部１０４から第２の放送波に係るcountry_code、時刻情報及び番組情報を取得する。これらの情報は記憶部１１３に保存される。
【００２５】
なお本例では、NITに含まれるネットワーク記述子に基づいて放送システムを判別する方法を記載したが、これは判別方法を限定ものではなく、放送波から取得できる情報を利用するものあれば、方法の如何は問わない。例えば、ＩＳＤＢにおいて、ＴＭＣＣを用いて放送システムを判別してもよい。ここでＩＳＤＢは”Integrated Services Digital Broadcasting”の略号である。ＴＭＣＣは”Transmission and Multiplexing Configuration Control”の略号である。また、予め各衛星サービスに対応したファームウェアを設定する際に、各衛星サービスの放送システム情報をメモリに記憶しておき、該情報を利用して判別処理が行われるように構成してもよい。なお、前記Ｓ１０２及びＳ１０６の処理を、ＥＰＧ画面の表示指示があった場合に行うことは必須でなく、例えば、放送受信装置の起動時に行うか、又はこれを定期的に行うこともできる。
上記の処理は、チューナ部の数が３つ以上存在する装置構成においても同様に行われ、受信している全ての異なる放送システムについて、country_code（国名情報）、時刻情報、及び番組情報が取得される。
【００２６】
図５は、ＥＰＧ画面の画像データの生成処理を例示したフローチャートである。
制御部１１２は、複数国のＥＰＧ情報を同時に表示するかどうかの設定を調べ（Ｓ２０１）、同時に表示する設定である場合には、表示国名文字列の取得処理（Ｓ２０２）によって表示国名文字列を取得する。なお表示国名文字列の取得処理（Ｓ２０２）については、図７にて後で詳しく説明する。取得した表示国名文字列、記憶部１１３に格納されている番組情報、時間情報に基づき、ＥＰＧ画面生成部１０８は、図３に示すＥＰＧ画面を生成する（Ｓ２０３）。
一方、Ｓ２０１で複数国のＥＰＧ情報を同時に表示しない設定になっていた場合、図８に示す通常のＥＰＧ画面をＥＰＧ画面生成部１０８が生成する（Ｓ２０４）。図８は、通常のＥＰＧ画面例を示した図であり、各表示エリアについては既述の通りである。但し、画面表示される各放送局の所在国は同じである。なお、複数国のＥＰＧ情報を同時に表示するかどうかの設定については、ユーザがＧＵＩ（グラフィック・ユーザ・インタフェース）のメニュー画面等から選択するか、又は初期設定にて予め決めておいてもよく、設定方法の如何は問わない。
【００２７】
次に、表示国名文字列の取得処理について説明する。
図６は、表示国名を示す文字列テーブル７００を例示した図である。テーブル番号情報７０１は、country_codeの記号７０２と表示国名文字列７０３との組み合わせ毎に割り付けられた番号である。country_codeの記号７０２は、ＩＳＯ３１６６で規定されている国名コードを表し、図には参考のため６カ国を記載したが、その種類や数に制限はない。表示国名文字列７０３は、country_codeによって識別される国名を表記する文字列である。
【００２８】
図７は、表示国名文字列の取得処理例を示すフローチャートである。なお、本処理については、後述する第２実施形態、第３実施形態でも同様である。
制御部１１２は、記憶部１１３からcountry_codeを取得し（Ｓ３０１）、表示国名の文字列テーブル７００におけるテーブル番号カウンタの値をゼロに初期化する（Ｓ３０２）。取得したcountry_codeと、テーブル番号カウンタの値に対応した表示国名の文字列テーブル７００のcountry_codeとを制御部１１２が比較し（Ｓ３０３）、両者が一致したかどうかを調べる（Ｓ３０４）。その結果、両コードが一致した場合、制御部１１２はテーブル番号カウンタの値に対応した表示国名文字列を取得する（Ｓ３０５）。また両コードが一致しなかった場合、制御部１１２は、テーブル番号カウンタの値のインクリメント処理を行って、カウンタ値を１だけ増やす（Ｓ３０６）。そしてカウンタ値が、その最大値を越えていないかどうかを制御部１１２が判定する（Ｓ３０７）。テーブル番号のカウンタ値が最大値以下の場合、Ｓ３０３に戻って処理を繰り返すが、カウンタ値が最大値を超えた場合、処理が終了する。
【００２９】
以上のように、本実施形態によれば、時差のある複数国の放送を受信し、放送番組情報と時差情報に基づいて、放送国の国名と、同時期（グリニッジ標準時に換算したときに同じ時刻）に放送される番組の時間割を時刻情報と共にＥＰＧ画面に表示できる。すなわち複数国の放送時間割を同時にＥＰＧ画面によって表示する際に、放送波を送信している各国の国名と、放送番組が放送される際の各国の時刻を表示させることができる。このようにＥＰＧ情報を画面上で分かり易く表示することで、ユーザはどの国のどの時刻の番組かが分かり、視聴番組の選択時等における利便性が向上する。
【００３０】
［第２実施形態］
次に、本発明の第２実施形態に係る放送受信装置を説明する。装置構成や番組情報データの取得処理等については第１実施形態の場合と同様であり、よって以下では相違点を中心に説明する。
図９は第２実施形態に係るＥＰＧ画面を例示した図である。放送受信国の時刻表示エリア８００は、放送受信国（放送を受信するために放送受信装置を設置している国）の時刻を表示するエリアである。放送局所在国名の表示エリア８０１は、放送局所在国の国名を表示するエリアである。
【００３１】
放送局名の表示エリア８０２は、放送波を送信している放送局名を表示するエリアであり、放送局所在国名の表示エリア８０１に表示される国毎に分けて放送局の名称が表示される。また放送局所在国の時刻表示エリア８０３は、放送受信国の時刻に対して、放送局所在国名の表示エリア８０１に表示される国の時差（本例では９時間）を計算した後の時刻情報を表示するエリアである。番組時間割の表示エリア８０４には、放送局所在国の時刻表示エリア８０３に表示されている時刻において、放送局名の表示エリア８０２に表示されている放送局の番組時間割がそれぞれ表示される。
以上のように本実施形態では、放送受信国の時刻を基準とし、放送局所在国と放送受信国との時差を取得して、ＥＰＧ画面にて各国の時刻情報を表示している。よって、同時期（グリニッジ標準時に換算したときに同じ時刻）に放送される番組の名称が縦軸に沿って並ぶことになる。
【００３２】
次に第２実施形態に係る時差情報の取得処理について説明する。
図１０は、第２実施形態に係る時差テーブル６００を例示した図である。テーブル番号情報６０１は、country_codeの記号６０２と時差情報６０３の組み合わせ毎に割り付けられた番号である。country_codeの記号６０２は、ＩＳＯ３１６６で規定されている国名コードであり、本例では６カ国が記載されている。時差情報６０３の欄には、放送受信国の時刻に対する放送局所在国の時差が記録される。時差情報に関して本例では１時間単位で記載しているが、これに限らず、例えば３０分単位でもよい。なお説明の便宜上、時差テーブル６００と、図６に示す表示国名の文字列テーブル７００とを分けて示しているが、両者を統合した一つのテーブルとしてもよい。
【００３３】
図１１は、第２実施形態に係る時差取得処理例を示すフローチャートである。基本的な処理の流れは図７と同様であるが、表示国名の文字列テーブル７００に代えて時差テーブル６００が用いられ、Ｓ４０５にて時差テーブル６００を使って時差情報が取得される。よって、以下では相違点のみを説明する。
Ｓ４０１にて取得したcountry_codeと、テーブル番号カウンタの値に対応したcountry_code が比較される（Ｓ４０３）。両者の一致が判定された場合（Ｓ４０４でのＹＥＳ）、Ｓ４０５に進み、制御部１１２は、テーブル番号カウンタの値に対応した時差情報を取得する。時差テーブル６００を参照することで、country_codeに対応する時差、つまり、放送受信国の時刻を基準とした、放送局所在国の時差情報が取得される。
【００３４】
図１２は、第２実施形態に係るＥＰＧ画面の生成処理例を示したフローチャートである。
制御部１１２は、複数国のＥＰＧ情報を同時に表示するかどうかの設定を調べる（Ｓ５０１）。同時に表示する設定である場合、表示国名文字列の取得処理（Ｓ５０２）に進み、制御部１１２は前述したように表示国名文字列を取得した後、時差取得処理（Ｓ５０３）にて、放送受信国の時刻と放送局所在国の時刻との間の時差情報を取得する。そして、制御部１１２は、取得した時差情報を用いて各放送局所在国の時刻を計算し（Ｓ５０４）、ＥＰＧ画面生成部１０８にＥＰＧ画面の画像データの生成を指示する。ＥＰＧ画面生成部１０８は表示国名文字列、記憶部１１３に格納されている番組情報、時差情報に基づいて、図９に示すＥＰＧ画面の画像データを生成する（Ｓ５０５）。
【００３５】
Ｓ５０１にて、複数国のＥＰＧ情報を同時に表示しない設定になっていた場合、制御部１１２は放送局所在国と放送受信国が同一であるか否かを調べる（Ｓ５０６）。両者が同一であった場合、制御部１１２からの指示を受けて、ＥＰＧ画面生成部１０８は図８に示す通常のＥＰＧ画面の画像データを生成し（Ｓ５０７）、処理が終了する。またＳ５０６にて放送局所在国と放送受信国が異なっていると判定された場合、Ｓ５０２に進む。つまりＳ５０２乃至Ｓ５０５の処理が行われ、図９に示すＥＰＧ画面の画像データが生成される。
第２実施形態によれば、複数国の放送時間割を同時にＥＰＧ画面に表示する際に、放送波の送信国の各国名と、番組が放送される際の各国の時刻を、放送受信装置の設置国の時刻に合わせて表示できるので、ユーザの利便性が向上する。
【００３６】
［第３実施形態］
次に、本発明の第３実施形態を説明する。なお装置構成や番組情報データの取得処理等については第１実施形態の場合と同様であり、よって以下では相違点を中心に説明する。
図１３は第３実施形態に係るＥＰＧ画面を例示した図である。図９に示すＥＰＧ画面との相違点は、放送局所在国の時刻表示エリア４０３及びＢ国の放送局Ｂ１，Ｂ２の番組時間割表示エリア４０４である。
Ａ国の時刻表示エリア４０３には、開始時刻１９：００から所定時間（本例では３時間）分の表示が行われ、この時間帯におけるＡ国の放送局Ａ１，Ａ２の番組時間割が番組時間割表示エリア４０４にそれぞれ表示される。一方、Ｂ国の時刻表示エリア４０３には、Ａ国の時刻表示エリア４００の時刻と同時刻が表示される。つまりＢ国についても開始時刻１９：００から３時間分の表示と、この時間帯におけるＢ国の放送局Ｂ１，Ｂ２の番組時間割が番組時間割表示エリア４０４にそれぞれ表示される。Ｂ国に係る番組時間割表示エリア４０４には、放送局所在国の時刻表示エリア４０３に表示されている時刻と同一の現地時刻にて、放送局名の表示エリア４０２に表示されている放送局の番組時間割が表示される。
以上のように、放送局所在国の放送番組情報の開始時刻に合わせ、各国での放送番組の放送時刻のまま、放送時刻、放送番組の情報が国名とともに国別に並べて表示される。
【００３７】
図１４は、第３実施形態に係るＥＰＧ画面の生成処理例を示したフローチャートである。
制御部１１２は、複数国のＥＰＧ情報を同時に表示するかどうかの設定を調べる（Ｓ８０１）。同時に表示する設定である場合、表示国名文字列の取得処理（Ｓ８０２）に進み、制御部１１２は表示国名文字列を取得する。そして制御部１１２は、記憶部１１３に格納されている番組情報及び時間情報を用いて、放送受信装置の設置国の時刻に縦軸を合わせた番組表のデータベースを作成する（Ｓ８０３）。次に制御部１１２はＥＰＧ画面生成部１０８に対し、ＥＰＧ画面の画像データの作成を指示する。前記データベースの情報と、取得した表示国名文字列に基づいて、ＥＰＧ画面生成部１０８は、図１３に示すＥＰＧ画面の画像データを生成し（Ｓ８０４）、処理が終了する。
Ｓ８０１にて複数国のＥＰＧ情報を同時に表示しない設定になっていた場合、ＥＰＧ画面生成部１０８は、図８に示す通常のＥＰＧ画面の画像データを生成し（Ｓ８０５）、処理が終了する。
【００３８】
図１５は、第３実施形態に係るＥＰＧ画面の表示形式の切換え処理を例示したフローチャートである。以下では、第２実施形態にて図９に示した画面表示形式を「表示形式Ａ」とし、図１３に示した画面表示形式を「表示形式Ｂ」として説明する。
リモコン２００に設けられたＥＰＧ表示形式の切換えキー２０６をユーザが操作すると、この操作指示を受けたリモコン受信部１１１は、受信したリモコンコードを制御部１１２へ転送する。制御部１１２はリモコンコードを解析し、操作指示が画面表示形式の切換え指示であることを知る（Ｓ９０１）。
制御部１１２は、現在のＥＰＧ画面の表示形式が表示形式Ａであるか否かを調べ（Ｓ９０２）、表示形式Ａの場合、表示形式Ｂへの切換え処理を行う（Ｓ９０３）。一方、現在のＥＰＧ画面の表示形式が表示形式Ｂであった場合、制御部１１２は表示形式Ａへの切換え処理を行う（Ｓ９０４）。
【００３９】
なお、表示形式の切換え操作については、リモコンキーの操作に限ったものではなく、例えばＧＵＩ画面上に表示形式切換え用のメニューを表示させて、ユーザが選択操作を行えるようにしてもよい。また、表示形式ＡとＢとの切換えに限らず、例えば、第１実施形態で説明した表示形式（図３参照）を「表示形式Ｃ」として、これら３つの表示形式Ａ乃至Ｃを切換えることも可能である。
第３実施形態によれば、複数国の放送時間割を各地の現地時刻に揃えて表示することでき、各国のプライムタイムの番組や深夜の時間帯の番組等を同時に確認できるので、ユーザが録画予約をする際等において利便性が向上する。また、画面表示形式の切換えキー２０６の操作等により、ユーザが表示形式を切換えられるように構成にすることで、操作性及び利便性が向上する。
【符号の説明】
【００４０】
１００…放送受信装置
１０１，１０３…チューナ部
１０８…ＥＰＧ画面生成部
１１１…リモコン受信部
１１２…制御部
１１３…記憶部
２００…リモコン
２０５…ＥＰＧ（番組表）キー
２０６…ＥＰＧ表示形式切換えキー
【図１】
2011082748.tif 000003
【図２】
2011082748.tif 000004
【図３】
2011082748.tif 000005
【図４】
2011082748.tif 000006
【図５】
2011082748.tif 000007
【図６】
2011082748.tif 000008
【図７】
2011082748.tif 000009
【図８】
2011082748.tif 000010
【図９】
2011082748.tif 000011
【図１０】
2011082748.tif 000012
【図１１】
2011082748.tif 000013
【図１２】
2011082748.tif 000014
【図１３】
2011082748.tif 000015
【図１４】
2011082748.tif 000016
【図１５】
2011082748.tif 000017